(57)【要約】【課題】ＨＡＲＱを使用する無線システムにおいてソフト・ハンドオフ（ＳＨＯ）動作モード中に移動体装置と１対の基地局の間の通信を制御する方法を提供すること。【解決手段】ＳＨＯ中に基地局で受信された順序の乱れたデータ・パケットを収容するためにシーケンス番号が形成され、ＲＮＣ（Radio Network Controller）に送信される。そのＲＮＣは、基地局から受信したデータ・パケットを合成し、次いで、その合成されたデータ・パケットをシーケンス番号を用いて再整列するように構成される。【選択図】図１
2006109463.tif 000002
【特許請求の範囲】
【請求項１】
ソフト・ハンドオフ中にＲＮＣ（radio network controller：無線基地局制御装置）で受信されたデータのパケットを再整列する方法であって、
シーケンス番号を情報のパケットと関連付ける工程と、
前記ＲＮＣで前記情報のパケットを受信する工程と、
前記情報のパケットと関連付けられた前記シーケンス番号に基づいて、前記ＲＮＣに記憶された複数の情報のパケット中の位置を識別する工程と
を含む方法。
【請求項２】
シーケンス番号を情報のパケットと関連付ける前記工程がさらに、
移動体装置によって割り当てられたシーケンス番号を有する情報のパケットを前記移動体装置から受信する工程と、
前記移動体装置によって割り当てられた前記シーケンス番号を用いて新しいシーケンス番号を形成する工程と
を含む、請求項１に記載の方法。
【請求項３】
前記ＲＮＣで前記情報のパケットを受信する前記工程がさらに、ＩＵＢインターフェースを介して前記ＲＮＣで前記情報のパケットを受信する工程を含む、請求項２に記載の方法。
【請求項４】
前記ＩＵＢインターフェースを介して前記ＲＮＣで前記情報のパケットを受信する前記工程がさらに、前記ＲＮＣでＩＵＢデータ・フレームを含む前記新しいシーケンス番号を有する前記情報のパケットを受信する工程を含む、請求項３に記載の方法。
【発明の詳細な説明】
【技術分野】
【０００１】
本発明は、一般に、電気通信に関し、より詳細には、無線通信に関する。
【背景技術】
【０００２】
セルラ電話などの無線通信の分野では、システムは、通常、そのシステムによってサービスされる地域内に分散された複数の基地局を含む。したがって、その地域内の固定または移動体の様々なユーザは、１つまたは複数の基地局を介してシステムにアクセスし、さらに他の相互接続された電気通信システムにアクセスすることができる。通常、移動体装置がある地域を通過するとき、ユーザが進むにつれてある基地局と通信し、次いで他の基地局と通信することにより、その移動体装置はシステムとの通信を維持する。移動体装置は、最も近い基地局、最も強力な信号を有する基地局、あるいは通信を受け入れるのに十分な容量を有する基地局などと通信することができる。
【０００３】
普通は、移動体装置が１つの基地局から他の基地局へ移行するとき、移動体装置が複数の基地局と通信する時間期間がある。移動体装置を１つの基地局から他の基地局に移行させるプロセスを、普通、ソフト・ハンドオフ（ＳＨＯ）と呼ぶ。ＳＨＯ中、両方の基地局が、移動体装置から通信を受信することができる。
【０００４】
いくつかの電気通信システムでは、移動体装置と基地局の間の通信は、性能を改善するために、ＨＡＲＱ（Hybrid Automatic Repeat Request）チャネル符号化技法を使用して行われる。一般に、ＨＡＲＱを使用するアップリンクの通信システムでは、移動体装置などの送信側は、基地局などの受信側に情報を送る。基地局が正しくその情報を受信した場合、ＡＣＫ（確認応答）が移動体装置に送り返されてそのプロセスは終了する。一方、基地局が、受信した情報中にエラーを検出した場合は、ＮＡＣＫ（否定応答）を移動体装置に送信する。移動体装置は、ＮＡＣＫに応答して、符号化情報の変更された組を再送信する。そのプロセスは、移動体装置が基地局からＡＣＫを受信するまで、または事前選択のトライ回数（例えば、３回）が行われるまで繰り返される。
【発明の開示】
【発明が解決しようとする課題】
【０００５】
移動体装置が、古い情報の再送信が散在する情報のパケットをブロードキャストし続けた場合、その情報のパケットは順序の乱れた状態で受信されるおそれがある。通常、その順序の乱れた受信は、シーケンス番号を含むヘッダを情報の中に挿入することによって対処される。アップリンクでは、基地局は、シーケンス番号を使用して情報のパケットを再整列することができる。しかし、ＳＨＯにおける基地局は多数あり、ＲＮＣは正しく受信されたパケットを１つだけ受け入れるようにするので、各基地局で再整列を実施することは効率が悪くなる。
【０００６】
しかし、ＨＡＲＱ技法を用いるとＳＨＯ中に問題となる可能性がある。移動体装置は、ＳＨＯ中に複数の基地局（例えば、２つの基地局ＡとＢ）と通信しているので、基地局Ａが情報を正しく受信しＡＣＫを返し、基地局Ｂが正しく受信せず、代わりにＮＡＣＫを返すことになる可能性は非常に大きい。基地局Ｂにパケットを再送信することは、そのパケットが基地局Ｂ中で順序が乱れることになる可能性があるが、一方、基地局Ａは正しい順序でパケットを受信するはずである。したがって、基地局、すなわち、この実施例では基地局Ｂで受信されたパケットを再整列することは、パケットが基地局Ａでは正しい順序で受信され正しくＲＮＣに転送されるはずなので、資源の浪費になる可能性がある。
【０００７】
本発明は、前述した１つまたは複数の問題の影響を克服し、または少なくとも低減することを対象とする。
【課題を解決するための手段】
【０００８】
本発明の一態様によると、ソフト・ハンドオフ中に、ＲＮＣ（radio network controller：無線基地局制御装置）で受信されるデータのパケットを再整列するための方法が提供される。本方法は、シーケンス番号を情報のパケットと関連付けること、ＲＮＣで情報のパケットを受信すること、および情報のパケットと関連付けられたシーケンス番号に基づいて、ＲＮＣに記憶された複数の情報のパケット中の位置を識別することを含む。
【０００９】
本発明は、添付の図面と共に以下の説明を参照することによって理解することができる。図面中、同じ参照番号は、同じエレメントを識別する。
【発明を実施するための最良の形態】
【００１０】
本発明は、様々な変更形態および代替形態を容易に行うことができるが、例として、その特有の諸実施形態を図面中で示し、本明細書で詳細に説明する。しかし、特有の諸実施形態に関する本明細書の説明は、本発明を、開示された特定の形態に限定するものではなく、反対に、添付の特許請求の範囲によって定義される本発明の趣旨および範囲に含まれる変更形態、等価な形態、および代替形態をすべてカバーすることを意図するものであると理解されたい。
【００１１】
本発明の例示的な諸実施形態を以下で説明する。分かりやすくするために、実際の実装形態のすべての機能を本明細書中で述べてはいない。このような実際の実施形態の開発では、開発者の特有の目標を達成するために、個々の実装形態によって変化し得るシステムおよびビジネスに関連する制約に従うなど、数多くの実装特有の決定を行う必要のあることが当然理解されよう。さらに、このような開発努力は複雑で時間のかかることかもしれないが、本開示の利益を受ける当業者が行う定型業務であり得ることも理解されよう。
【００１２】
次に図面を、特に図１を参照すると、無線通信システム１００の一実施形態が概念的に示されている。例示の実施形態では、複数のセル１１０、１１１、１１２が地理的な区域全体に分散されている。各セルは、基地局１１５、１１６、１１７によってサービスが行われ、複数の基地局１１５、１１６、１１７は、共通のＲＮＣ（Radio Network Controller）１２０によってサービスされている。移動体装置１２５、１２６、１２７は、無線通信リンク１３０を介して基地局１１５、１１６、１１７と通信しながら、地理的な区域を自由に動き回る。各セル１１０、１１１、１１２中に単一の移動体装置１２５、１２６、１２７だけが示されているが、当業者であれば、各基地局１１５、１１６、１１７は、多数の移動体装置１２５、１２６、１２７をサポート可能であることが理解されよう。代替の諸実施形態では、追加の移動体ユニットおよび／または基地局、ならびに他の所望の装置を、無線通信システム１００に含むこともできる。例えば、無線通信システム１００は、移動体交換局、ならびに様々なルータ、スイッチ、ハブなどを含むことができる。
【００１３】
無線通信リンク１３０は、移動体ユニット１２５、１２６、１２７と基地局１１５、１１６、１１７の間でメッセージを送信するのに使用できる１つまたは複数のチャネルをサポートする。そのチャネルは、所望の任意の方式で定義することができる。例えば、チャネルは、ＵＭＴＳ（Universal Mobile Telecommunication System）、ＣＤＭＡ（Code Division Multiple Access）、ＴＤＭＡ（Time Division Multiple Access）、ＰＣＳ（Personal Communication System）、ＧＳＭ（Global System for Mobile telecommunications）などのプロトコルに従って決定される。無線通信リンク１３０はまた、１つまたは複数のパケット再送信および／またはエラー回復プロトコルをサポートする。例えば、無線通信リンク１３０は、ＡＲＱ（Automatic Repeat Request）プロトコル、ＨＡＲＱ（Hybrid Automatic Repeat Request）プロトコルなどをサポートすることができる。
【００１４】
一般に、ＲＮＣ１２０は、それが接続されている基地局１１５、１１６、１１７を制御し調整するように動作する。図１のＲＮＣ１２０は、一般に、レプリケーション、通信、ランタイム、およびシステムの管理サービスを行い、また、より詳細に以下で検討するように、それは、基地局１１５、１１６、１１７間におけるＳＨＯ中に、移動体装置１２５、１２６、１２７から受信した情報パケットの再整列を担当することができる。
【００１５】
一般に、移動体装置１２５、１２６、１２７は、それぞれが動作できる第１および第２の状況を有する。第１の状況では、移動体装置１２５、１２６、１２７が複数の基地局１１５、１１６、１１７と連絡を取るもので、それは、ソフト・ハンドオフ（「ＳＨＯ」）と呼ばれ、またはレート制御動作モードと呼ばれることもある。第２の状況、すなわち、「タイム・スケジュール（time scheduled）」動作モードでは、移動体装置１２５、１２６、１２７が、基地局１１５、１１６、１１７のうちの１つだけと連絡を取るもので、それは、サービング基地局（serving base station）と呼ばれる。本明細書に記載の方法は、移動体装置１２５、１２６、１２７がＳＨＯ動作モードにあるときに有益である。以下の説明および図面は、ＳＨＯ動作モードにある移動体装置１２５、１２６、１２７に関して提示されている。「タイム・スケジュール」動作モードの詳細な議論については、本発明を不必要にあいまいにすることを避けるため本明細書に提示しない。
【００１６】
特に他に説明のない限り、またはその議論から明白ではない限り、「処理する（ｐｒｏｃｅｓｓｉｎｇ）」または「コンピューティング（ｃｏｍｐｕｔｉｎｇ）」または「計算する（ｃａｌｃｕｌａｔｉｎｇ）」または「決定する（ｄｅｔｅｒｍｉｎｉｎｇ）」または「表示する（ｄｉｓｐｌａｙｉｎｇ）」などの用語は、コンピュータ・システムのレジスタおよびメモリ内の物理的、電子的な量として表されるデータを処理し、かつそのデータを、コンピュータ・システムのメモリもしくはレジスタ、または他のかかる情報ストレージ、送信装置もしくは表示装置内の物理量として同様に表される他のデータに変換するコンピュータ・システムまたは類似の電子コンピューティング装置のアクションおよびプロセスを指す。
【００１７】
図２Ａは、ＳＨＯ動作モード中に移動体ユニット１２５と基地局１１５の間でパケットを送信するのに用いることができるアップリンク・チャネル２００およびダウンリンク・チャネル２０５の第１の実施形態を概念的に示す。アップリンク・チャネルは、ＵＭＴＳリリース６で定義されているように、Ｅ−ＤＣＨ（enhanced dedicated channel）とすることができる。図２Ａの例示的な実施形態では、第１のパケット２１０がアップリンク・チャネル２００で送信されたが、基地局１１５は、その第１のパケット２１０を検出および／または復号することができず、したがって、ダウンリンク・チャネル２０５でＮＡＫ（negative acknowledgement）２１５が送信される。しかし、第２の情報パケット２１２は、そのＮＡＫ２１５が受信される前に送信されることもあり得る。ＮＡＫ２１５を受信すると、第１のパケット２１０がアップリンク２０５で再送信される。第２のパケット２１２の検出および復号に成功し、したがって、ＡＣＫ（acknowledgement）２２０がダウンリンク・チャネル２０５で送信される。同様に、再送信されたパケット２１０の検出および復号に成功した場合、ＡＣＫ（acknowledgement）２２５がダウンリンク・チャネル２０５で送信される。したがって、パケット２１０、２１２は、逆の順序で基地局で受信され、再整列をする必要があり得る。
【００１８】
図２Ｂは、ＳＨＯ動作モード中に移動体ユニット１２５と基地局１１６の間で情報のパケットを送信するのに使用することができるアップリンク・チャネル２００およびダウンリンク・チャネル２０５の動作を概念的に示す。アップリンク・チャネル２００は、ＵＭＴＳリリース６で定義されているようなＥ−ＤＣＨ（enhanced dedicated channel）とすることができる。図２Ｂの例示的な実施形態では、第１のパケット２１０は、アップリンク・チャネル２００で送信され、基地局１１６が、第１のパケット２１０を検出しかつ／または復号することに成功し、したがって、ＡＣＫ（acknowledgement）２３０がダウンリンク・チャネル２０５で送信される。次いで、第２の情報パケット２１２が、アップリンク・チャネル２００を介して送信される。第２のパケット２１２の検出および復号にも成功し、したがって、ＡＣＫ２３５が、ダウンリンク・チャネル２０５で送信される。したがって、パケット２１０、２１２は基地局１１６によって正しい順序で受信され、再整列する必要はない。
【００１９】
本発明の一実施形態では、再整列機能はＲＮＣ１２０中に位置する。基地局１１５、１１６、１１７からの選択合成（selection combining）ゲインを利用するために、復号に成功したＥＤＣＨ（enhanced data channel）上のアップリンク・パケットのトランスポート・チャネル・ビットがＩＵＢインターフェースを介してＲＮＣ１２０に送信される。ＲＮＣ１２０が再整列機能を実施するために、各受信されたパケットは、シーケンス番号で識別され、今後、それをＴＳＮ（Transmission Sequence Number）と呼ぶ。
【００２０】
ＲＮＣ１２０で、優先順位キューごとに再整列を実施することができる。例えば、異なるＱｏＳ（サービス品質）で送信する必要のあるトラフィックまたはデータに対して、異なる優先順位キューを使用することができる。ＲＮＣ１２０に対する順序通り（in-sequence）のパケット送達において、以下のことが正しいはずである。すなわち、ＲＮＣ１２０は、基地局１１６からパケット＃１を受信し、基地局１１７からパケット＃２を、基地局１１５からパケット＃３を、以下同様に受信する。その場合、パケットは、異なる基地局から正しい順序で受信されている。しかし、ＲＮＣ１２０への順序の乱れた送達が次のことから生じる可能性がある。すなわち、
【００２１】
１．完全な同期ＨＡＲＱ動作が行われたとしても、複数のＨＡＲＱプロセスがサポートすることによって、順序の乱れた送達が生ずる可能性がある。それは、そのプロセス中で、各ＨＡＲＱプロセスがパケット送信に成功するために必要な再送信数が異なることによって生ずる。その結果、ＲＮＣ１２０は、基地局１１６からパケット＃３を受信し、基地局１１６からパケット＃１を、基地局１１５からパケット＃２を、以下同様に受信することになる。ここでは、基地局１１６から送信されたパケットが正しくない順序で送信されている。
【００２２】
２．ＮｏｄｅＢが正しく復号されたパケットを異なる順序で受信するのに加えて、ＮｏｄｅＢタイミングが不完全に時間調整されていることにより、またＩｕｂトランスポート遅延の変動により、パケットは、時間がずれてＲＮＣに到達することもあり得る。そのような場合、ＳＲＮＣは、ＮｏｄｅＢ２からパケット＃３を受信し、ＮｏｄｅＢ３からパケット＃１を、ＮｏｄｅＢ１からパケット＃２を、以下同様に受信することになる。
【００２３】
ＲＮＣで再整列するのをサポートするために、ＴＳＮ（Transmission Sequence Number）または等価な物をＩＵＢを介して使用する。そのＴＳＮは、ＭＡＣ−ｅｕ  ＰＤＵまたはＭＡＣ−ｅｓ  ＰＤＵベースで基地局１１５、１１６、１１７により挿入される。ＭＡＣ−ｅｕ  ＰＤＵごとにＴＳＮを設定することにより、ＰＤＵ中で送信できるデータを単一の優先順位だけに制限することができる。それによる利点は、単一のＴＳＮだけが必要とされることである。ＭＡＣ−ｅｕ  ＰＤＵ中に複数の優先順位データが含まれている場合は、各優先順位をサポートするために複数のＴＳＮフィールドが必要となる。
【００２４】
ＴＳＮをＩＵＢレベルで挿入することにより、ＲＮＣ１２０はＩＵＢデータ・フレームからＴＳＮを読むことが可能となり、そのトランスポート・ビットを単なるペイロードとして処理することになる。移動体装置により挿入されたペイロードをＲＮＣの再整列に使用する場合のように、ＴＳＮを見るためにＲＮＣ１２０がペイロードを「のぞく（peek）」必要がなくなる。図３の流れ図に示された本発明の一実施形態では、３００で、基地局１１５は、移動体装置１２５から情報のパケットを受信する。３０５で、基地局１１５は、移動体装置１２５から受信した情報のパケットからパケット・ヘッダを取り出す。パケット・ヘッダは、移動体装置１２５によって挿入されたＴＳＮを含む。次いで、３１０で、基地局１１５は、パケット・ヘッダ中に含まれているＴＳＮを使用して、情報のパケットを再整列するためにＲＮＣ１２０によって使用できる等価なまたは関係するＴＳＮを形成する。次いで、３１５で、新しく作成されたＴＳＮは、ＩＵＢデータ・フレーム中に挿入され、その後ＲＮＣ１２０に送信される。
【００２５】
基地局１１５、１１６、１１７によってＲＮＣ１２０のために挿入されたＴＳＮは、移動体装置１２５、１２６、１２７によって挿入されたＴＳＮへの直接マッピングとすることができる。ＴＳＮは、トランポート・チャネル・ビットの一部として、またはＩＵＢデータ・フレーム中の別個のフィールドとして構成することができる。両方の選択肢において、オーバーヘッドは同じである。ＴＳＮのサイズは、再送信の合計数、およびＨＡＲＱプロセスの合計数の関数であり得る。その点で、ＦＦＳであることが提案される。
【００２６】
再整列バッファ中の機能停止に対する保護のために、バッファをクリアせずに、基地局が再整列バッファを能動的にフラッシュする、または事前選択の時間期間が経過した場合にバッファを自動的にフラッシュするようにすることは有益であり得る。移動体装置は、最大の再送信回数、電力の限界に達したこと、および／またはより高い優先順位のパケットによる優先使用（pre-emption）などの理由によりパケットを打ち切ることができる。これらのシナリオのいずれかが生じたとき、ＲＮＣ１２０は、再整列バッファでパケットを待つことになるが、それが到着することはないはずである。ＲＮＣ１２０は、続く順序通りのパケットを次のレイヤに渡すために、タイマ機構を用いてその再整列バッファを自動的に消去することができる。事前選択の時間期間が失われると、タイマ機構がＲＮＣ１２０に知らせて残っているパケットを次のレイヤに転送する。
【００２７】
代替的に、このような機能停止条件を阻止するために、他の２つの機構を使用することができる。例えば、第１の代替として、単一ビットのフラッシュ・インディケータを使用することができる。その実施形態では、基地局が単一ビットのフラッシュ・インディケータ・フィールドを設定し、それにより、ＲＮＣ１２０が受信したとき、ＲＮＣ１２０にその再整列バッファ中の残りのギャップをすべてフラッシュさせるようにする。第２の代替としては、特有のＴＳＮ番号を有するゼロ・パケットのＩＵＢデータ・フレームを基地局からＲＮＣ１２０に送達することができる。ＲＮＣ１２０が、ゼロ・パケットのＩＵＢデータ・フレームを受信すると、パケットが正しく受信されたものと見なし、したがって、すべてのパケットがバッファにより受信されたので、次のレイヤにパケットを転送することになる。
【００２８】
次に図４を参照すると、ＲＮＣ１２０で受信された情報のパケットを合成し（combining）かつ再整列するプロセスを示す。４００で、ＲＮＣは、ＳＨＯに参加している各基地局１１５、１１６、１１７から同様な情報のパケットを受信する。４０５で、従来の技法を用いて、基地局１１５、１１６、１１７から受信した関連する情報のパケットは、それが正確であることを高い信頼度で保障するように合成される。次いで、４１０で、合成れたパケットは、必要に応じて、基地局１１５、１１６、１１７によって作成されたＴＳＮに基づいて再整列される。
【００２９】
ＳＨＯの動作モードが２つの基地局、すなわち基地局Ａおよび基地局Ｂに関して前述されているが、当業者であれば、ＳＨＯの動作モードは、３以上の基地局（例えば、基地局Ａ、基地局Ｂ、基地局Ｃ、・・・）を含むことも可能であることが理解されよう。３以上の基地局が含まれる場合、基地局がＵＥ１２０のアクティブ・リストから除かれる順序とは関係なく、そのほかの基地局Ａ、Ｂ、・・・のすべてと通信するために、最初の基地局Ａに関連付けられたタイミングが保持される。例えば、ＵＥ１２０は、初めはＡと通信していたが続いてＢと、次いで、ＣとＳＨＯ動作モードに入り、したがって、３つの基地局すべてがＵＥ１２０のアクティブ・セット中にある場合を仮定する。ＢとＣをアクティブ・セット中に残したまま、Ａをアクティブ・セットから除去した場合、それにもかかわらず、ＵＥ１２０は、Ａと関連付けられたタイミング情報を用いてＢおよびＣと通信を継続する。ＵＥ１２０は、ＳＨＯ動作モードにある限り、そのアクティブ・セット中に基地局が１つだけになるまで、Ａに関連付けられたタイミング情報を使用し続けることになる。基地局が１つになった時点で、ＵＥ１２０は、その１つだけの基地局に関連付けられたタイミング情報と再度同期化される。
【００３０】
当業者であれば、本明細書の様々な実施形態で示された様々なシステム・レイヤ、ルーチン、またはモジュールを、実行可能な制御ユニットとすることができることを理解されよう。コントローラは、マイクロプロセッサ、マイクロコントローラ、ＤＳＰ（digital signal processor）、プロセッサ・カード（１つまたは複数のマイクロプロセッサまたはコントローラを含む）、または他の制御装置もしくはコンピューティング装置を含むことができる。この議論で述べた記憶装置は、データおよび命令を記憶するための１つまたは複数のマシン可読記憶媒体を含むことができる。記憶媒体は、ＤＲＡＭもしくはＳＲＡＭ（dynamic or static random access memory）、ＥＰＲＯＭ（erasable and programmable read-only memory）、ＥＥＰＲＯＭ（electrically erasable and programmable read-only memory）およびフラッシュ・メモリなどの半導体メモリ・デバイス、固定やフロッピー（登録商標）の取外し可能ディスクなどの磁気ディスク、テープを含む他の磁気媒体、およびＣＤ（コンパクト・ディスク）やＤＶＤ（digital video disk）などの光媒体を含む様々な形式のメモリを含むことができる。様々なシステムにおける様々なソフトウェア・レイヤ、ルーチン、またはモジュールを構成する命令は、各記憶装置に記憶することができる。命令は、コントローラによって実行されたとき、それに対応するシステムにプログラムされた動作を実施させるようにする。
【００３１】
上記で開示の特定の諸実施形態は、例示のものに過ぎず、異なる方法であるが本明細書の教示の利益を受ける当業者に明らかな等価な方法で、本発明を変更および実施することができる。さらに、以下の特許請求の範囲に記載のものを除き、本明細書に示した構造または設計の詳細に対して、何らの限定を意図するものではない。したがって、本発明の方法、システム、およびその一部、ならびに前述の方法およびシステムは、無線ユニット、基地局、基地局コントローラ、および／または移動体交換局などの様々な場所で実施することができる。さらに、本開示の利益を受ける当業者によって理解されるように、前述のシステムを実装し使用するために必要な処理回路は、ＡＳＩＣ（application specific integrated circuit：特定用途向けＩＣ）、ソフトウェア駆動の処理回路、ファームウェア、ＰＬＤ（programmable logic device：プログラム可能論理デバイス）、ハードウェア、ディスクリートのコンポーネント、または上記コンポーネントの構成で実施することができる。したがって、上記で開示の特定の諸実施形態を改変または変更することが可能であり、このような変更形態がすべて本発明の範囲および趣旨に含まれるものと見なされることは明らかである。したがって、本明細書で求められる保護は、以下の特許請求の範囲中に記載される。
【図面の簡単な説明】
【００３２】
【図１】本発明の一実施形態による通信システムのブロック図である。
【図２】Ａ、Ｂは本発明による、図１に示す無線通信システム中でパケットを送信することなどに使用できるアップリンク・チャネルおよびダウンリンク・チャネルの第１の実施形態を概念的に示す図である。
【図３】図１の基地局のオペレーションを示す流れ図である。
【図４】図１のＲＮＣ（Radio Network Controller）のオペレーションを示す流れ図である。
【図１】
2006109463.tif 000003
【図２】
2006109463.tif 000004
【図３】
2006109463.tif 000005
【図４】
2006109463.tif 000006